(57)【要約】      （修正有）【課題】光機能部材を傾斜面に設置せず、また、屈折率整合剤を用いずに、送信する光信号と受信した光信号とを分波できる光レセプタクル、光モジュールおよび光伝送器を提供する。【解決手段】光レセプタクル３００は、発光素子２２０から入射した送信光Ｌ１を光伝送体４００への出射面へ進行させ、光伝送体から入射した受信光Ｌ２を受光素子２３０への出射面へ進行させる光路分岐部３６０と、光路分岐部から発光素子へ到達する受信光Ｌ２ｂを減衰させる光減衰部材３７５と、を有する。光路分岐部は、第４光学面と、第４光学面に対して傾斜して配置された第５光学面とを有する光学面である。第４光学面は、光レセプタクルの内部に入射して光路分岐部に到達した送信光の一部の光が第２光学面３８０へ進行する角度で配置され、第５光学面は、光レセプタクルの内部に入射して光路分岐部に到達した受信光の一部の光が第３光学面３９０へ進行する角度で配置される。【選択図】図１
2019086616.tif 000002
【特許請求の範囲】
【請求項１】
発光素子と光伝送体の端面とを光学的に結合し、かつ、前記光伝送体の端面と受光素子とを光学的に結合する、光レセプタクルであって、
前記発光素子から出射された送信光を前記光レセプタクルの内部に入射させる第１光学面と、
前記第１光学面で入射した前記送信光を、前記光伝送体の端面に到達するように前記光レセプタクルの外部に出射させ、かつ、前記光伝送体の端面から出射された受信光を、前記光レセプタクルの内部に入射させる第２光学面と、
前記第２光学面で入射した前記受信光を、前記受光素子に到達するように前記光レセプタクルの外部に出射させる第３光学面と、
前記第１光学面で入射した前記送信光の一部の光を前記第２光学面へ進行させ、かつ、前記第２光学面で入射した前記受信光の一部の光を前記第３光学面へ進行させる光路分岐部と、
前記第１光学面と前記発光素子とを結ぶ光路上に配置された、前記光路分岐部から前記発光素子へ到達する前記受信光を減衰させる光減衰部材と、
を有し、
前記光路分岐部は、第４光学面と、前記第４光学面に対して傾斜して配置された第５光学面と、を有する光学面であり、
前記第４光学面は、前記光レセプタクルの内部に入射して前記光路分岐部に到達した前記送信光の一部の光が前記第２光学面へ進行する角度で配置され、
前記第５光学面は、前記光レセプタクルの内部に入射して前記光路分岐部に到達した前記受信光の一部の光が前記第３光学面へ進行する角度で配置された、
光レセプタクル。
【請求項２】
発光素子と光伝送体の端面とを光学的に結合し、かつ、前記光伝送体の端面と受光素子とを光学的に結合する、光レセプタクルであって、
前記発光素子から出射された送信光を前記光レセプタクルの内部に入射させる第１光学面と、
前記第１光学面で入射した前記送信光を、前記光伝送体の端面に到達するように前記光レセプタクルの外部に出射させ、かつ、前記光伝送体の端面から出射された受信光を、前記光レセプタクルの内部に入射させる第２光学面と、
前記第２光学面で入射した前記受信光を、前記受光素子に到達するように前記光レセプタクルの外部に出射させる第３光学面と、
前記第１光学面で入射した前記送信光の一部の光を前記第２光学面へ進行させ、かつ、前記第２光学面で入射した前記受信光の一部の光を前記第３光学面へ進行させる光路分岐部と、
を有し、
前記光路分岐部は、第４光学面と、前記第４光学面に対して傾斜して配置された第５光学面と、を有する光学面であり、
前記第４光学面は、前記光レセプタクルの内部に入射して前記光路分岐部に到達した前記送信光の一部の光が前記第２光学面へ進行する角度で配置され、
前記第５光学面は、前記光レセプタクルの内部に入射して前記光路分岐部に到達した前記受信光の一部の光が前記第３光学面へ進行する角度で配置され、
前記第１光学面と前記発光素子とを結ぶ光路上に配置されて、前記光路分岐部から前記発光素子へ到達する前記受信光を減衰させる光減衰部材と共に用いられる、
光レセプタクル。
【請求項３】
前記光路分岐部は、前記第４光学面および前記第５光学面をそれぞれ１つずつ含む分岐ユニットが複数配置された形状を有する、請求項１又は２に記載の光レセプタクル。
【請求項４】
前記第４光学面は、前記第１光学面で入射した前記送信光を透過させて前記第２光学面へ進行させ、
前記第５光学面は、前記第２光学面で入射した前記受信光を反射させて前記第３光学面へ進行させる、請求項１〜３のいずれか一項に記載の光レセプタクル。
【請求項５】
前記第１光学面と前記光路分岐部とを結ぶ前記送信光の光路上に、前記第１光学面で前記光レセプタクルの内部に入射した前記送信光を反射させて前記光路分岐部へ進行させる送信光反射部を有する、請求項４に記載の光レセプタクル。
【請求項６】
前記第４光学面は、前記第１光学面で入射した前記送信光を反射させて前記第２光学面へ進行させ、
前記第５光学面は、前記第２光学面で入射した前記受信光を透過させて前記第３光学面へ進行させる、請求項１〜３のいずれか一項に記載の光レセプタクル。
【請求項７】
前記光路分岐部と前記第３光学面とを結ぶ前記送信光の光路上に、前記光路分岐部を透過した受信光を反射させて前記第３光学面へ進行させる受信光反射部を有する、請求項６に記載の光レセプタクル。
【請求項８】
前記送信光と前記受信光とは、互いに異なる波長の光であり、
前記光減衰部材は、前記受信光が有する波長の光に対する透過率が、前記送信光が有する波長の光に対する透過率よりも小さい、請求項１〜７のいずれか一項に記載の光レセプタクル。
【請求項９】
発光素子および受光素子を有する光電変換装置と、
請求項１〜８のいずれか一項に記載の光レセプタクルと、
を有する光モジュール。
【請求項１０】
発光素子および受光素子を有する光電変換装置と、
発光素子と光伝送体の端面とを光学的に結合し、かつ、前記光伝送体の端面と受光素子とを光学的に結合する、光レセプタクルであって、
前記発光素子から出射された送信光を前記光レセプタクルの内部に入射させる第１光学面と、
前記第１光学面で入射した前記送信光を、前記光伝送体の端面に到達するように前記光レセプタクルの外部に出射させ、かつ、前記光伝送体の端面から出射された受信光を、前記光レセプタクルの内部に入射させる第２光学面と、
前記第２光学面で入射した前記受信光を、前記受光素子に到達するように前記光レセプタクルの外部に出射させる第３光学面と、
前記第１光学面で入射した前記送信光の一部の光を前記第２光学面へ進行させ、かつ、前記第２光学面で入射した前記受信光の一部の光を前記第３光学面へ進行させる光路分岐部と、
を有し、
前記光路分岐部は、第４光学面と、前記第４光学面に対して傾斜して配置された第５光学面と、を有する光学面であり、
前記第４光学面は、前記光レセプタクルの内部に入射して前記光路分岐部に到達した前記送信光の一部の光が前記第２光学面へ進行する角度で配置され、
前記第５光学面は、前記光レセプタクルの内部に入射して前記光路分岐部に到達した前記受信光の一部の光が前記第３光学面へ進行する角度で配置された、
光レセプタクルと、
前記第１光学面と前記発光素子とを結ぶ光路上に配置された、前記光路分岐部から前記発光素子へ到達する前記受信光を減衰させる光減衰部材と、
を有する光モジュール。
【請求項１１】
前記発光素子および前記受光素子は、同一平面上に配置された、請求項９又は１０に記載の光モジュール。
【請求項１２】
光伝送体と、
前記光伝送体の両端部に配置された、２つの、請求項９〜１１のいずれか一項に記載の光モジュールと、
を有する光伝送器。
【発明の詳細な説明】
【技術分野】
【０００１】
本発明は、光レセプタクル、光モジュールおよび光伝送器に関する。
【背景技術】
【０００２】
光ファイバーなどの光伝送体を用いた光通信には、面発光レーザー（たとえば、ＶＣＳＥＬ：Vertical Cavity Surface Emitting Laser）などの発光素子を備える光モジュールが使用されている。光モジュールは、発光素子から出射された通信情報を含む送信光を、光伝送体の端面に入射させる光レセプタクルを有する。
【０００３】
また、双方向の光通信を行うときには、発光素子に加えて受光素子（たとえば、ＰＤ：Photodiode）を備える光モジュールが使用される。双方向の光通信用の光モジュールが有する光レセプタクルは、発光素子から出射されて光レセプタクルの内部に入射した送信光を光伝送体の端面に到達させ、かつ、光伝送体の端面から出射されて光レセプタクルの内部に入射した通信情報を含む受信光を受光素子に到達させる構成を有する。このとき、光伝送体の端面に入射させる送信光の光路と、光伝送体の端面で入射した受信光の光路とは、光伝送体の端面の近傍で共通したり並行したりする。そのため、双方向の光通信用の光モジュールが有する光レセプタクルは、通常、送信光の光路と受信光の光路とを分岐する光路分岐部を備える。
【０００４】
たとえば、特許文献１には、送信用光素子と、受信用光素子と、光ファイバーと、を光学的に結合する光学部材（光レセプタクル）であって、送信する光信号と受信した光信号とを分波する、ハーフミラーなどの光機能部材が設けられた光学部材が記載されている。上記光学部材は、上記光ファイバーの光軸に対して傾斜した傾斜面を有し、上記光機能部材は、上記傾斜面に配置されている。このような構成により、上記光機能部材は、送信する光信号を上記傾斜面で反射させて光ファイバーに到達させ、一方で受信した光信号に上記傾斜面を透過させて、受信した光信号を受信用光素子に到達させることができる。
【先行技術文献】
【特許文献】
【０００５】
【特許文献１】特開２００９−２５１３７５号公報
【発明の概要】
【発明が解決しようとする課題】
【０００６】
特許文献１に記載の光学部材は、光機能部材を傾斜面に設置する必要がある。しかし、傾斜面への光機能部材の設置には微細な操作が必要であるため、特許文献１に記載の光学部材は、光機能部材の設置ずれが生じやすかった。上記設置ずれは、送信する光信号または受信する光信号の光軸を傾かせ、送信用光素子と光ファイバーとの間、または光ファイバーと受信用光素子との間、の光学的な結合をずらして、光通信の精度を低下させるおそれがある。
【０００７】
また、特許文献１に記載の光学部材は、傾斜面を透過した後の受信した光信号の光路を制御するため、上記傾斜面の背面に、光学部材と同じ屈折率を有する屈折率整合剤を配置する必要がある。しかし、屈折率整合剤は、通常、光学部材の本体を構成する材料とは熱膨張率が異なる材料から形成されるため、光学部材を製造した後の高温試験時などにクラックを発生させる原因となり得る。
【０００８】
上記問題に基づき、本発明は、光機能部材を傾斜面に設置せず、また、屈折率整合剤を用いずに、送信する光信号と受信した光信号とを分波できる光レセプタクル、当該光レセプタクルを有する光モジュールおよび当該光モジュールを有する光伝送器を提供することを、その目的とする。
【課題を解決するための手段】
【０００９】
本発明に係る光レセプタクルは、発光素子と光伝送体の端面とを光学的に結合し、かつ、上記光伝送体の端面と受光素子とを光学的に結合する、光レセプタクルである。上記光レセプタクルは、上記発光素子から出射された送信光を上記光レセプタクルの内部に入射させる第１光学面と、上記第１光学面で入射した上記送信光を、上記光伝送体の端面に到達するように上記光レセプタクルの外部に出射させ、かつ、上記光伝送体の端面から出射された受信光を上記光レセプタクルの内部に入射させる第２光学面と、上記第２光学面で入射した上記受信光を、上記受光素子に到達するように上記光レセプタクルの外部に出射させる第３光学面と、上記第１光学面で入射した上記送信光の一部の光を上記第２光学面へ進行させ、かつ、上記第２光学面で入射した上記受信光の一部の光を上記第３光学面へ進行させる光路分岐部と、上記第１光学面と上記発光素子とを結ぶ光路上に配置された、上記光路分岐部から上記発光素子へ到達する上記受信光を減衰させる光減衰部材と、を有し、上記光路分岐部は、第４光学面と、上記第４光学面に対して傾斜して配置された第５光学面と、を有する光学面であり、上記第４光学面は、上記光レセプタクルの内部に入射して上記光路分岐部に到達した上記送信光の一部の光が上記第２光学面へ進行する角度で配置され、上記第５光学面は、上記光レセプタクルの内部に入射して上記光路分岐部に到達した上記受信光の一部の光が上記第３光学面へ進行する角度で配置される。
【００１０】
本発明に係る別の光レセプタクルは、発光素子と光伝送体の端面とを光学的に結合し、かつ、上記光伝送体の端面と受光素子とを光学的に結合する、光レセプタクルである。上記光レセプタクルは、上記発光素子から出射された送信光を上記光レセプタクルの内部に入射させる第１光学面と、上記第１光学面で入射した上記送信光を、上記光伝送体の端面に到達するように上記光レセプタクルの外部に出射させ、かつ、上記光伝送体の端面から出射された受信光を上記光レセプタクルの内部に入射させる第２光学面と、上記第２光学面で入射した上記受信光を、上記受光素子に到達するように上記光レセプタクルの外部に出射させる第３光学面と、上記第１光学面で入射した上記送信光の一部の光を上記第２光学面へ進行させ、かつ、上記第２光学面で入射した上記受信光の一部の光を上記第３光学面へ進行させる光路分岐部と、を有し、上記光路分岐部は、第４光学面と、上記第４光学面に対して傾斜して配置された第５光学面と、を有する光学面であり、上記第４光学面は、上記光レセプタクルの内部に入射して上記光路分岐部に到達した上記送信光の一部の光が上記第２光学面へ進行する角度で配置され、上記第５光学面は、上記光レセプタクルの内部に入射して上記光路分岐部に到達した到達した上記受信光の一部の光が上記第３光学面へ進行する角度で配置される。上記光レセプタクルは、上記第１光学面と上記発光素子とを結ぶ光路上に配置されて、上記光路分岐部から上記発光素子へ到達する上記受信光を減衰させる光減衰部材と共に用いられる。
【００１１】
本発明に係る光モジュールは、発光素子および受光素子を有する光電変換装置と、上記光レセプタクルと、を有する。
【００１２】
本発明に係る別の光モジュールは、発光素子および受光素子を有する光電変換装置と、発光素子と光伝送体の端面とを光学的に結合し、かつ、前記光伝送体の端面と受光素子とを光学的に結合する、光レセプタクルと、光減衰部材と、を有する。上記光レセプタクルは、上記発光素子から出射された送信光を上記光レセプタクルの内部に入射させる第１光学面と、上記第１光学面で入射した上記送信光を、上記光伝送体の端面に到達するように上記光レセプタクルの外部に出射させ、かつ、上記光伝送体の端面から出射された受信光を、上記光レセプタクルの内部に入射させる第２光学面と、上記第２光学面で入射した上記受信光を、上記受光素子に到達するように上記光レセプタクルの外部に出射させる第３光学面と、上記第１光学面で入射した上記送信光の一部の光を上記第２光学面へ進行させ、かつ、上記第２光学面で入射した上記受信光の一部の光を上記第３光学面へ進行させる光路分岐部と、を有し、上記光路分岐部は、第４光学面と、上記第４光学面に対して傾斜して配置された第５光学面と、を有する光学面であり、上記第４光学面は、上記光レセプタクルの内部に入射して上記光路分岐部に到達した上記送信光の一部の光が上記第２光学面へ進行する角度で配置され、上記第５光学面は、上記光レセプタクルの内部に入射して上記光路分岐部に到達した上記受信光の一部の光が上記第３光学面へ進行する角度で配置された、光レセプタクルである。上記光減衰部材は、上記第１光学面と上記発光素子とを結ぶ光路上に配置され、上記光路分岐部から上記発光素子へ到達する上記受信光を減衰させる。
【００１３】
本発明に係る光伝送器は、光伝送体と、上記光伝送体の両端部に配置された２つの上記光モジュールと、を有する。
【発明の効果】
【００１４】
本発明によれば、光機能部材を傾斜面に設置せず、また、屈折率整合剤を用いずに、送信する光信号と受信した光信号とを分波できる光レセプタクル、当該光レセプタクルを有する光モジュールおよび当該光モジュールを有する光伝送器が提供される。
【図面の簡単な説明】
【００１５】
【図１】図１は、本発明の第１の実施形態に関する光モジュールの構成を模式的に示す断面図である。
【図２】図２Ａは、本発明の第１の実施形態に関する光レセプタクルの平面図であり、図２Ｂは、上記光レセプタクルの底面図であり、図２Ｃは、上記光レセプタクルの正面図であり、図２Ｄは、上記光レセプタクルの背面図であり、図２Ｅは、上記光レセプタクルの左側面図であり、図２Ｆは、上記光レセプタクルの右側面図である。
【図３】図３Ａは、図１において破線で示される領域の光路分岐部の部分拡大断面図であり、図３Ｂは、上記光路分岐部の近傍における送信光の光路を示す部分拡大断面図であり、図３Ｃは、上記光路分岐部の近傍における受信光の光路を示す部分拡大断面図である。
【図４】図４は、本発明の第２の実施形態に関する光モジュールの構成を模式的に示す断面図である。
【図５】図５Ａは、図４において破線で示される領域の光路分岐部の部分拡大断面図であり、図５Ｂは、上記光路分岐部の近傍における送信光の光路を示す部分拡大断面図であり、図５Ｃは、上記光路分岐部の近傍における受信光の光路を示す部分拡大断面図である。
【図６】図６は、本発明の第３の実施形態に関する光伝送器の構成を模式的に示す断面図である。
【発明を実施するための形態】
【００１６】
以下、本発明に係る実施の形態について、図面を参照して詳細に説明する。
【００１７】
［第１の実施形態］
（光モジュールの構成）
図１は、本発明の第１の実施形態に関する光モジュール１００の構成を模式的に示す断面図である。図１において、一点鎖線は光の光軸を示しており、破線は光の外径を示している。
【００１８】
図１に示されるように、光モジュール１００は、光電変換装置２００および光レセプタクル３００を有する。光モジュール１００は、送受信がともに可能である双方向通信用の光モジュールである。光モジュール１００は、光レセプタクル３００に光伝送体４００が接続された状態で使用される。
【００１９】
光電変換装置２００は、基板２１０、発光素子２２０および受光素子２３０を有する。
【００２０】
基板２１０は、発光素子２２０、受光素子２３０および光レセプタクル３００を保持する。基板２１０は、たとえば、ガラスコンポジット基板、ガラスエポキシ基板、およびフレキブシル基板などとし得る。
【００２１】
発光素子２２０は、基板２１０上に配置された、送信用の光電変換素子である。発光素子２２０の数および位置は、特に限定されず、用途に応じて適宜設定され得る。本実施形態では、図１の紙面に垂直な方向に沿って、１２個の発光素子２２０が同一直線上に配列されている。
【００２２】
発光素子２２０は、発光素子２２０の上面に対して垂直な方向に送信光であるレーザー光を出射する。発光素子２２０は、たとえば、発光面（発光領域）から送信光を出射する垂直共振器面発光レーザー（ＶＣＳＥＬ）とし得る。本実施形態では、発光素子２２０は、波長８５０ｎｍのレーザー光を出射するＶＣＳＥＬである。
【００２３】
受光素子２３０は、基板２１０上に配置された、受信用の光電変換素子である。受光素子２３０の数および位置は、特に限定されず、用途に応じて適宜設定され得る。本実施形態では、図１の紙面に垂直な方向に沿って、１２個の受光素子２３０が同一直線上に配列されている。
【００２４】
受光素子２３０は、光伝送体４００の端面から出射されて、光レセプタクル３００の内部を通過した受信光であるレーザー光を受光する。受光素子２３０は、受光面（受光領域）で受信光を受光して感知するフォトダイオード（ＰＤ）とし得る。本実施形態では、受光素子２３０は、波長９１０ｎｍのレーザー光を感知するＰＤである。
【００２５】
光レセプタクル３００は、発光素子２２０および受光素子２３０と、複数の光伝送体４００との間に配置されて、発光素子２２０と光伝送体４００の端面と、および光伝送体４００の端面と受光素子２３０と、をそれぞれ光学的に結合する。
【００２６】
光電変換装置２００と光レセプタクル３００とは、たとえば熱硬化性樹脂および紫外線硬化性樹脂などを含む接着剤などの、公知の固定手段によって互いに固定される。
【００２７】
光伝送体４００は、その端部がコネクター内に収容されて公知の取付手段を介して光レセプタクル３００に取り付けられる。光伝送体４００は、光ファイバーおよび光導波路などの公知の光伝送体とし得る。本実施形態では、光伝送体４００は、光ファイバーである。光ファイバーは、シングルモード方式であってもよいし、マルチモード方式であってもよい。光伝送体４００の数は、特に限定されず、用途に応じて適宜変更され得る。
【００２８】
（光レセプタクルの構成）
図２Ａ〜図２Ｆは、本実施形態に関する光レセプタクル３００の構成を示す図である。図２Ａは光レセプタクル３００の平面図であり、図２Ｂは光レセプタクル３００の底面図であり、図２Ｃは光レセプタクル３００の正面図であり、図２Ｄは光レセプタクル３００の背面図であり、図２Ｅは光レセプタクル３００の左側面図であり、図２Ｆは光レセプタクル３００の右側面図である。
【００２９】
図１に示されるように、光レセプタクル３００は、発光素子２２０および受光素子２３０と対向して基板２１０上に配置される。
【００３０】
光レセプタクル３００に入射する送信光の強度に対する光レセプタクル３００から光伝送体４００に出射される送信光の強度の割合は、たとえば、４０％〜５０％である。上記割合は、後述する第４光学面の面積および光減衰材の量などにより調整できる。
【００３１】
光レセプタクル３００は、光通信に用いられる波長の光に対して透光性を有する材料を用いて形成される。そのような材料の例には、ポリエーテルイミド（ＰＥＩ）および環状オレフィン樹脂などの透明な樹脂が含まれる。光レセプタクル３００の内部は、通常、上記材料で充填されている。
【００３２】
なお、光レセプタクル３００を構成する材料には、光レセプタクル３００の内部を通る光（送信光Ｌ１および受信光Ｌ２）の強度を減衰させるための光減衰材が添加されていてもよい。上記光減衰材の例には、カーボンブラックおよび酸化銅などを含む無機粒子、ならびにフタロシアニン系などの有機色素などが含まれる。光レセプタクル３００を構成する材料中の光減衰材の量は、光減衰材の種類、光レセプタクル３００中の光路長、および発光素子２２０の種類などに応じて適宜選択される。
【００３３】
また、光レセプタクル３００の表面には、表面における光の反射を抑制する観点から、反射防止膜が配置されていていることが好ましい。反射防止膜は、光レセプタクル３００の全面に配置されていてもよいが、発光素子２２０から出射された送信光Ｌ１が入射する第１光学面３７０または光伝送体４００の端面から出射された受信光Ｌ２が入射する第２光学面３８０のみに配置されていてもよい。光レセプタクル３００の表面に反射防止膜を配置する方法は、特に限定されず、たとえば、光レセプタクル３００の表面に反射防止コーティング（ＡＲコーティング）を施せばよい。上記反射防止膜の材料の例には、ＳｉＯ２、ＴｉＯ２およびＭｇＦ２が含まれる。
【００３４】
また、光レセプタクル３００は、基板２１０と光レセプタクル３００との位置合わせの観点から、位置決め部３０２を有していてよい。位置決め部３０２は、光レセプタクル３００を透過しての視認性を高める観点から、光レセプタクル３００の上面と底面とが平行となる位置に設けられることが好ましい。位置決め部３０２の設置位置は、成形の容易さ及び位置合わせの精度に優れる観点から、好ましくは、光レセプタクル３００の底面（基板２１０と対向する面）であって、かつ光路を除く面である。位置決め部３０２の形状及び大きさは、一般的な位置決め部３０２と同様の態様であってよい。位置決め部３０２はたとえば、光レセプタクル３００の底面に形成された凹部および凸部、ならびに光レセプタクル３００の底面に形成された模様などとすることができる。
【００３５】
図２Ａ〜図２Ｆに示されるように、光レセプタクル３００は、略直方体形状の部材である。本実施形態では、光レセプタクル３００の底面（基板２１０と対向する面）には、脚部３０５に三方を囲まれた略四角柱形状の第１凹部３１０が形成されている。光レセプタクル３００の天面（底面の反対側の面）には、略五角柱形状の第２凹部３２０および略五角柱形状の第３凹部３３０が、光レセプタクル３００の光伝送体４００が取り付けられる側に向かう方向に連続して配置されている。詳細については後述するが、第２凹部３２０の内面の一部は、送信光反射部３４０であり、第３凹部３３０の他の内面の一部は、透過面３５０であり、第３凹部３３０の内面の他の一部は、光路分岐部３６０である。第１凹部３１０、第２凹部３２０および第３凹部３３０の内部は、光レセプタクル３００の材料よりも屈折率が低い物質（たとえば大気）で充填されている。
【００３６】
光レセプタクル３００は、第１光学面３７０、第２光学面３８０、第３光学面３９０、光路分岐部３６０および送信光反射部３４０を有する。また、光レセプタクル３００は、第１光学面３７０と発光素子２２０とを結ぶ光路上に、光減衰部材３７５を有する。光減衰部材３７５は、光レセプタクル３００に取り付けられてもよく、光レセプタクル３００とは別に基板２１０に取り付けられてもよい。
【００３７】
光レセプタクル３００は、発光素子２２０から出射された送信光Ｌ１を第１光学面３７０で光レセプタクル３００の内部に入射させて、送信光反射部３４０および光路分岐部３６０を経て第２光学面３８０に到達させ、第２光学面３８０から光伝送体４００の端部に出射させる。
【００３８】
また、光レセプタクル３００は、光伝送体４００の端部から出射された受信光Ｌ２を第２光学面３８０で光レセプタクル３００の内部に入射させて、光路分岐部３６０を経て第３光学面３９０へ進行させ、受光素子２３０に到達するように第３光学面３９０から出射させる。
【００３９】
第１光学面３７０は、光レセプタクル３００の底面に発光素子２２０と対向して配置された光学面であり、発光素子２２０から出射された送信光Ｌ１を光レセプタクル３００の内部に入射させる面である。第１光学面３７０は、発光素子２２０の発光面（発光領域）から出射された送信光Ｌ１を屈折させながら光レセプタクル３００内に入射させて、コリメート光に変換させるレンズとし得る。
【００４０】
第１光学面３７０の数は、特に限定されず、用途および発光素子２２０の数などに応じて適宜選択され得る。本実施形態では、第１光学面３７０の数は、発光素子２２０の数と同じであり、１２個である。１２個の第１光学面３７０は、光レセプタクル３００の底面において、１２個の発光素子２２０とそれぞれ対向して配置される。
【００４１】
第１光学面３７０の形状は、特に限定されず、平面であってもよいし、曲面であってもよい。本実施形態では、第１光学面３７０は、発光素子２２０に向かって凸状の凸レンズ面である。また、第１光学面３７０の平面視形状は、円形状である。第１光学面３７０の中心軸は、発光素子２２０の発光面（および基板２１０の表面）に対して垂直であることが好ましい。また、第１光学面３７０は、その中心軸が、発光素子２２０から出射された送信光Ｌ１の光軸と一致する位置に配置されることが好ましい。
【００４２】
送信光反射部３４０は、第２凹部３２０の内面の一部を構成する光学面であり、光レセプタクル３００の底面から天面に向かうにつれて、第２光学面３８０に近づくように傾斜した面である。送信光反射部３４０は、第１光学面３７０から光レセプタクル３００の内部に入射した送信光Ｌ１を、光レセプタクル３００の内部の物質（たとえば樹脂）と第２凹部３２０の内部の物質（たとえば大気）との間の屈折率の差により反射させて、第２光学面３８０の方向に進行させる傾斜角度および位置となるように配置される。送信光反射部３４０の傾斜角度は、特に限定されないが、第１光学面３７０で入射した送信光Ｌ１が臨界角より大きな入射角で入射して全反射する角度であることが好ましい。本実施形態では、送信光反射部３４０の傾斜角度は、第１光学面３７０で入射した送信光Ｌ１の光軸に対して４５°（なお、本明細書では、２つの面がなす角度については小さいほうの角度を示す。）である。送信光反射部３４０の形状は、特に限定されず、平面であってもよいし、曲面であってもよい。本実施形態では、送信光反射部３４０の形状は、平面である。
【００４３】
透過面３５０は、第３凹部３３０の内面の一部を構成する光学面であり、送信光反射部３４０で反射した送信光Ｌ１を、光レセプタクル３００の外部である第３凹部３３０の内部に出射させる面である。透過面３５０は、送信光反射部３４０で反射した送信光Ｌ１の光軸に対する垂直面であることが好ましい。これにより、透過面３５０は、送信光反射部３４０で反射した送信光Ｌ１を透過面３５０で屈折させることなく最短距離で光路分岐部３６０および第２光学面３８０に到達させることができ、光レセプタクル３００の構成を簡易にしてその製造および取扱いを容易にすることができる。
【００４４】
なお、透過面３５０は、光路分岐部３６０の構成などに応じて、送信光反射部３４０で反射した送信光Ｌ１を屈折させて送信光Ｌ１の光路を調整するための、送信光反射部３４０で反射した送信光Ｌ１の光軸に対する傾斜面としてもよい。このとき、透過面３５０は、射出成形における離型を容易にするため、光レセプタクル３００の底面から天面に向かうにつれて、第２光学面３８０から遠ざかるように傾斜させることが好ましい。
【００４５】
光路分岐部３６０は、第３凹部３３０の内面の一部を構成する光学面であり、第１光学面３７０で入射した送信光Ｌ１が到達する位置となり、かつ、第２光学面３８０で入射した受信光Ｌ２が到達する位置ともなる位置に配置された面である。光路分岐部３６０は、透過面３５０から光レセプタクル３００の外部（第３凹部３３０の内部）に出射した送信光Ｌ１の一部の光を、光レセプタクル３００の内部に再度入射させて、第２光学面３８０の方向に進行させる傾斜角度および位置となるように配置される。同時に、光路分岐部３６０は、第２光学面３８０で光レセプタクル３００の内部に入射した受信光Ｌ２の一部の光を、光レセプタクル３００の内部の物質（たとえば樹脂）と第３凹部３３０の内部の物質（たとえば大気）との間の屈折率の差により反射させて、第３光学面３９０の方向に進行させる傾斜角度および位置となるように配置される。
【００４６】
第２光学面３８０は、光レセプタクル３００の正面に配置された光学面であり、光路分岐部３６０により第２光学面３８０へ進行および到達させられた送信光Ｌ１の一部の光を、光伝送体４００の端面に向けて出射させる面である。このとき、第２光学面３８０は、上記送信光Ｌ１の一部の光を、収束させつつ光伝送体４００の端面に向けて出射させることが好ましい。
【００４７】
また、第２光学面３８０は、光伝送体４００の端面から出射された受信光Ｌ２を光レセプタクル３００の内部に入射させる面でもある。このとき、第２光学面３８０は、光伝送体４００の端面から出射された受信光Ｌ２を屈折させながら光レセプタクル３００内に入射させて、コリメート光に変換させるレンズとし得る。
【００４８】
第２光学面３８０の数は、特に限定されず、用途に応じて適宜選択され得る。本実施形態では、第２光学面３８０の数は、光伝送体４００の端面の数を同じであり、１２個である。１２個の第２光学面３８０は、光レセプタクル３００の正面において、１２個の光伝送体４００の端面とそれぞれ対向して配置される。
【００４９】
第２光学面３８０の形状は、特に限定されず、平面であってもよいし、曲面であってもよい。本実施形態では、第２光学面３８０の形状は、光伝送体４００の端面に向かって凸状の凸レンズ面である。第２光学面３８０の平面視形状は、円形状である。第２光学面３８０の中心軸は、光伝送体４００の端面に対して垂直であることが好ましい。
【００５０】
第３光学面３９０は、光レセプタクル３００の底面に受光素子２３０と対向して配置された光学面であり、第２光学面３８０で光レセプタクル３００の内部に入射して、光路分岐部３６０で反射した受信光Ｌ２を、受光素子２３０に到達するように出射させる光学面である。
【００５１】
第３光学面３９０の数は、特に限定されず、用途に応じて適宜選択され得る。本実施形態では、第３光学面３９０の数は、受光素子２３０の数と同じであり、１２個である。１２個の第３光学面３９０は、光レセプタクル３００の底面において、１２個の受光素子２３０とそれぞれ対向するように配置されている。
【００５２】
第３光学面３９０の形状は、特に限定されず、平面であってもよいし、曲面であってもよい。本実施形態では、第３光学面３９０は、受光素子２３０に向かって凸状の凸レンズ面である。
【００５３】
光減衰部材３７５は、受信光Ｌ２が有する波長の光を選択的に吸収する光学フィルター、および受信光Ｌ２が有する波長の光を選択的に反射するハーフミラーなどとし得る。上記減衰部材は、受信光Ｌ２が有する波長の光の透過率が、送信光Ｌ１が有する波長の光の透過率よりも小さくなる部材であればよい。本実施形態では、光減衰部材３７５は、波長８５０ｎｍの光を透過し、波長９１０ｎｍの光を吸収する光学フィルターである。
【００５４】
（光路分岐部の構成および機能）
図３Ａ、図３Ｂおよび図３Ｃは、本実施形態に関する光レセプタクル３００が有する光路分岐部３６０の構成を示す図である。図３Ａは、図１において破線で示される領域の光路分岐部の部分拡大断面図であり、図３Ｂは、光路分岐部３６０の近傍における送信光の光路を示す部分拡大断面図であり、図３Ｃは、光路分岐部３６０の近傍における受信光の光路を示す部分拡大断面図である。
【００５５】
光路分岐部３６０は、それぞれが送信光Ｌ１の一部の光を透過させて第２光学面３８０へ進行させ、かつ受信光Ｌ２の一部の光を反射させて第３光学面３９０へ進行させる形状を有する、複数の分岐ユニット３６５が配列された光学面である。それぞれの分岐ユニットは、第４光学面３６５ａ、第４光学面３６５ａに対して傾斜して配置された第５光学面３６５ｂ、および第４光学面３６５ａと第５光学面３６５ｂとを接続する接続面３６５ｃを有する。光路分岐部３６０は、複数の分岐ユニット３６５が配列されて、階段状の形状を形成する。  
【００５６】
第４光学面３６５ａは、透過面３５０から光レセプタクル３００の外部に出射した送信光Ｌ１の一部の光を透過させて第２光学面３８０へ進行させる角度で配置された光学面であり、本実施形態では、透過面３５０から光レセプタクル３００の外部に出射した送信光Ｌ１の光軸に対する垂直面である。
【００５７】
第５光学面３６５ｂは、第２光学面３８０で光レセプタクル３００の内部に入射した受信光Ｌ２の一部の光を反射させて第３光学面３９０へ進行させる角度で配置された光学面であり、本実施形態では、第２光学面３８０で光レセプタクル３００の内部に入射した受信光Ｌ２の光軸に対する傾斜面である。本実施形態では、第５光学面３６５ｂは、光レセプタクル３００の天面から底面に向かうにつれて第２光学面３８０（光伝送体４００の端面）から遠ざかるように傾斜する面であり、第５光学面３６５ｂの傾斜角は、第５光学面３６５ｂに到達する受信光Ｌ２の光軸に対して４５°である。また、第５光学面３６５ｂの傾斜角は、第４光学面３６５ａに対して１３５°であり、接続面３６５ｃに対しても１３５°である。
【００５８】
接続面３６５ｃは、第４光学面３６５ａと第５光学面３６５ｂとを接続する面であり、第４光学面３６５ａに到達する送信光Ｌ１の光軸、および第５光学面３６５ｂに到達する受信光Ｌ２の光軸、の双方に対して平行な面である。接続面３６５ｃの傾斜角は、第４光学面３６５ａに対して９０°である。
【００５９】
複数の分岐ユニット３６５は、これらの分岐ユニット３６５に由来する複数の第４光学面３６５ａ、第５光学面３６５ｂおよび接続面３６５ｃが、光路分岐部３６０の傾斜方向に所定の間隔で互いに平行に配置される角度で配列される。分岐ユニットの数は、特に限定されず、用途に応じて適宜選択され得るが、透過面３５０から光レセプタクル３００の外部に出射した送信光Ｌ１および第２光学面３８０で光レセプタクル３００の内部に入射した受信光Ｌ２が入射する領域内に４〜６個の分岐ユニット３６５が配置されればよい。
【００６０】
分岐ユニット３６５は、必要に応じて、送信光Ｌ１の一部の光を透過させて第２光学面３８０以外の光レセプタクル３００の上面、側面または底面へ進行させる第５光学面３６５ｂ以外の光学面、または、受信光Ｌ２の一部の光を反射させて第３光学面３９０以外の光レセプタクル３００の上面、側面または底面へ進行させる光学面を有していてもよい。また、分岐ユニット３６５は、必要に応じて、送信光Ｌ１の一部の光を反射させて第２光学面３８０以外の光レセプタクル３００の上面、側面または底面へ進行させる光学面、または、受信光Ｌ２の一部の光を透過させて第１光学面３７０および第３光学面３９０以外の光レセプタクル３００の上面、側面または底面へ進行させる光学面を有していてもよい。ただし、分岐ユニット３６５は、成形の容易さの観点から、送信光Ｌ１を透過させる面としては第４光学面３６５ａおよび接続面３６５ｃのみを有することが好ましく、受信光Ｌ２の一部の光を反射させる面としては第５光学面３６５ｂのみを有することが好ましい。また、クロストークの発生などを抑制する観点からは、第１光学面３７０で入射した送信光Ｌ１の一部の光を反射または透過させて送信光Ｌ１の他の光から分割し、第３光学面３９０へ進行させる光学面を有さないことが好ましい。
【００６１】
図３Ｂに示されるように、透過面３５０から光レセプタクル３００の外部に出射して光路分岐部３６０に到達した送信光Ｌ１は、第４光学面３６５ａおよび第５光学面３６５ｂで光レセプタクル３００の内部に再度入射する。
【００６２】
このとき、第４光学面３６５ａは、上記送信光Ｌ１の光軸に対する垂直面であるため、第４光学面３６５ａに到達した送信光の一部の光である送信光Ｌ１ａを屈折させずに第２光学面３８０の方向に透過させる。これにより、第４光学面３６５ａは、送信光反射部３４０から透過面３５０を通じて第４光学面３６５ａに到達した送信光Ｌ１ａを第４光学面３６５ａで屈折させることなく最短距離で第２光学面３８０へ進行および到達させることができ、光レセプタクル３００の構成を簡易にしてその製造および取扱いを容易にすることができる。なお、このとき、送信光反射部３４０、透過面３５０、光路分岐部３６０および第２光学面３８０は、光レセプタクル３００の光伝送体４００が取り付けられる側に向かう方向に、光伝送体４００へ出射するときの送信光の光路および光伝送体４００で入射するときの受信光の光路と平行な直線上に連続して配置される。また、透過面３５０、光路分岐部３６０の第４光学面３６５ａ、および第２光学面が配置される角度は、互いに平行である。
【００６３】
一方で、第５光学面３６５ｂは、上記送信光Ｌ１の光軸に対する傾斜面でもあるため、第３凹部３３０の内部の物質（たとえば大気）と光レセプタクル３００の内部の物質（たとえば樹脂）との間の屈折率の差により、第５光学面３６５ｂに到達した送信光の一部の光である送信光Ｌ１ｂを屈折させる。第５光学面３６５ｂは、送信光Ｌ１ｂを屈折させて第２光学面３８０とは異なる方向に進行させることにより、送信光Ｌ１を選択的に減衰させる減衰部としても機能する。
【００６４】
なお、接続面３６５ｃは送信光Ｌ１の入射方向に平行に形成されているため、接続面３６５ｃには送信光Ｌ１は入射しない。
【００６５】
図３Ｃに示されるように、第２光学面３８０から光レセプタクル３００の内部に入射した受信光Ｌ２も、光路分岐部３６０に到達する。
【００６６】
このとき、第５光学面３６５ｂは、上記受信光Ｌ２の光軸に対する傾斜面であるため、第５光学面３６５ｂに到達した受信光の一部の光である受信光Ｌ２ａを第３光学面３９０の方向に反射させる。
【００６７】
このようにして、送信光Ｌ１の光路上となり、かつ、受信光Ｌ２の光路上となる位置に配置された光路分岐部３６０は、第４光学面３６５ａが、光レセプタクル３００の内部に入射して光路分岐部３６０に到達した送信光Ｌ１の一部の光を第２光学面３８０へ進行させる光学面として機能し、第５光学面３６５ｂが、光レセプタクル３００の内部に入射して光路分岐部３６０に到達した受信光Ｌ２の一部の光を第３光学面３９０へ進行させる光学面として機能して、送信光Ｌ１の光路および受信光Ｌ２の光路の少なくとも一方を分岐させ、光レセプタクル３００の内部の光路を制御する。
【００６８】
なお、図３Ｃに示されるように、第４光学面３６５ａは、第２光学面３８０で光レセプタクル３００の内部に入射した受信光Ｌ２の光軸に対する垂直面となるため、上記受信光の一部の光である受信光Ｌ２ｂは、第４光学面３６５ａを透過して、透過面３５０、送信反射光部３４０および第１光学面３７０を通過して発光素子２２０に到達し得る。本実施形態では、上記発光素子２２０に到達した受信光Ｌ２ｂによるクロストークの発生を抑制するため、第１光学面３７０と発光素子２２０とを結ぶ光路上に、光減衰部材３７５を設けている。
【００６９】
光減衰部材３７５は、光路分岐部３６０（第４光学面３６５ａ）から発光素子２２０に到達する受信光Ｌ２ｂを減衰させ、かつ、発光素子２２０から光路分岐部３６０（第４光学面３６５ａ）への送信光Ｌ１ａの到達を顕著に減衰させない部材であればよい。光減衰部材３７５は、たとえば、受信光Ｌ２が有する波長の光を選択的に吸収する光学フィルター、および受信光Ｌ２が有する波長の光を選択的に反射するハーフミラーなどとし得る。上記減衰部材は、受信光Ｌ２が有する波長の光の透過率が、送信光Ｌ１が有する波長の光の透過率よりも小さくなる部材であればよい。本実施形態では、光減衰部材３７５は、波長８５０ｎｍの光を透過し、波長９１０ｎｍの光を吸収する光学フィルターである。
【００７０】
なお、接続面３６５ｃは受信光Ｌ２の入射方向に平行に形成されているため、接続面３６５ｃには受信光Ｌ２は入射しない。
【００７１】
送信光Ｌ１のうち、第４光学面３６５ａにより第２光学面３８０へ進行させられる送信光Ｌ１ａの光量と、第５光学面３６５ｂにより屈折されて第２光学面３８０に到達しない送信光Ｌ１ｂの光量と、の光量比は、送信光反射部３４０側から光路分岐部３６０を見たときの、第４光学面３６５ａと第５光学面３６５ｂとの面積比と略同一である。また、受信光Ｌ２のうち、第４光学面３６５ａを透過して第３光学面３９０に到達しない受信光Ｌ２ｂの光量と、第５光学面３６５ｂにより反射されて第３光学面３９０へ進行させられる受信光Ｌ２ａの光量と、の光量比は、第２光学面３８０側から光路分岐部３６０を見たときの、第４光学面３６５ａと第５光学面３６５ｂとの面積比とほぼ同じである。本実施形態では、送信光反射部３４０、透過面３５０、光路分岐部３６０および第２光学面３８０は、直線上に連続して配置されるため、送信光Ｌ１ａの光量と送信光Ｌ１ｂの光量との光量比と、受信光Ｌ２ｂの光量と受信光Ｌ２ａの光量との光量比は、同一である。上記２つの光量比は、送信光反射部３４０側から光路分岐部３６０を見たときの、第４光学面３６５ａと第５光学面３６５ｂとの面積比と略同一（図３Ｂおよび図３Ｃのｄ１とｄ２との長さの比とも略同一）であり、ｄ１とｄ２との比率を変えることで調整され得る。光路分岐部３６０による送信光Ｌ１の減衰率を高める観点からは、ｄ１の割合よりもｄ２の割合が多いほうが好ましく、第４光学面を透過した受信光Ｌ２ｂによるクロストークの発生を抑制する観点からも、ｄ１の割合よりもｄ２の割合が多いほうが好ましい。このような観点からは、ｄ１：ｄ２は５：５〜９：１であることが好ましく、７：３〜８：２であることがより好ましい。
【００７２】
（光モジュールにおける光路）
発光素子２２０から出射された波長８５０ｎｍのレーザー光である送信光Ｌ１は、第１光学面３７０で光レセプタクル３００の内部に入射する。このとき、送信光Ｌ１は、第１光学面３７０によってコリメート光に変換される。次いで、第１光学面３７０で光レセプタクル３００の内部に入射した送信光Ｌ１は、送信光反射部３４０で、光路分岐部３６０に向けて反射する。送信光反射部３４０で反射した送信光Ｌ１は、透過面３５０から光レセプタクル３００の外部に出射した後、光路分岐部３６０に到達して光レセプタクル３００の内部に再度入射する。このとき、光路分岐部３６０に到達した送信光Ｌ１の一部の光である送信光Ｌ１ａは、第４光学面３６５ａを透過して第２光学面３８０に到達する。同時に、光路分岐部３６０に到達した送信光Ｌ１の他の一部の光である送信光Ｌ１ｂは、第５光学面３６５ｂで屈折するため第２光学面３８０には到達しない。これにより、送信光Ｌ１は、光路分岐部３６０で減衰される。第４光学面３６５ａを透過して第２光学面３８０に到達した送信光Ｌ１ａは、第２光学面３８０から光レセプタクル３００の外部に出射され、光伝送体４００の端面に到達する。
【００７３】
一方、光伝送体４００の端面から出射された波長９１０ｎｍのレーザー光である受信光Ｌ２は、第２光学面３８０で光レセプタクル３００の内部に入射する。このとき、受信光Ｌ２は、第２光学面３８０によってコリメート光に変換される。次いで、第２光学面３８０で光レセプタクル３００の内部に入射した受信光Ｌ２の一部の光である受信光Ｌ２ａは、光路分岐部３６０に到達し、第５光学面３６５ｂで反射して第３光学面３９０に到達する。第５光学面３６５ｂで反射して第３光学面３９０に到達した受信光Ｌ２ａは、第３光学面３９０から光レセプタクル３００の外部に出射され、受光素子２３０に到達する。一方で、第２光学面３８０で光レセプタクル３００の内部に入射した受信光Ｌ２の他の一部の光である受信光Ｌ２ｂは、第４光学面３６５ａを透過して光レセプタクル３００の外部に出射した後、透過面３５０を透過して光レセプタクル３００の内部に再度入射し、送信光反射部３４０で、第１光学面３７０に向けて反射する。第１光学面３７０に到達した受信光Ｌ２ｂは、発光素子２２０に向けて光レセプタクル３００の外部に出射するが、波長９１０ｎｍの光を選択的に吸収する光学フィルターである光減衰部材３７５に吸収されて減衰されるため、発光素子２２０に到達した受信光Ｌ２ｂによるクロストークの発生は抑制される。
【００７４】
（効果）
以上のとおり、本実施形態に係る光レセプタクル３００は、光路分岐部３６０が受信光Ｌ２の光路を送信光Ｌ１の光路から分岐させ、送信する光信号と受信した光信号とを分波する。そのため、本実施形態に係る光レセプタクル３００は、光路分岐部３６０に相当する傾斜面にハーフミラーなどの光機能部材を設置する必要がなく、光機能部材の設置ずれによる光通信の精度の低下が抑制される。
【００７５】
また、本実施形態に係る光レセプタクル３００は、上記傾斜面にハーフミラーなどの光機能部材を設置する必要がないため、上記傾斜面を透過する光の光路を調整するための屈折率整合剤も不要である。そのため、本実施形態に係る光レセプタクル３００は、屈折率整合剤を構成する材料の熱膨張率と光レセプタクル３００を構成する材料の熱膨張率とが異なることによる、光レセプタクル３００を製造した後の高温試験時などのクラックの発生を抑制することもできる。
【００７６】
［第２の実施形態］
図４は、本発明の第２の実施形態に関する光モジュール５００の構成を模式的に示す断面図である。図４において、一点鎖線は光の光軸を示しており、破線は光の外径を示している。
【００７７】
第２の実施形態に関する光モジュール５００は、ＶＣＳＥＬである発光素子２２０が出射するレーザー光の波長が９１０ｎｍである点、ＰＤである受光素子２３０が感知するレーザー光の波長が８５０ｎｍである点、および光レセプタクル６００の構成のみが第１の実施形態に関する光モジュール５００と異なる。そのため、本実施形態では、第１の実施形態と同じ構成要素については、同一の符号を付してその説明を省略する。
【００７８】
（光モジュールの構成）
図４に示されるように、光モジュール５００は、発光素子２２０および受光素子２３０が基板２１０上に配置された光電変換装置２００、および光レセプタクル６００を有する。光モジュール５００は、送受信がともに可能である双方向通信用の光モジュールである。光モジュール５００は、光レセプタクル６００に光伝送体４００が接続された状態で使用される。
【００７９】
（光レセプタクルの構成）
第１の実施形態と同様に、光レセプタクル６００は、発光素子２２０および受光素子２３０と対向して基板２１０上に配置される。
【００８０】
光レセプタクル６００に入射する送信光の強度に対する光レセプタクル６００から光伝送体４００に出射される送信光の強度の割合は、たとえば、４０％〜５０％である。上記割合は、後述する第４光学面の面積および光減衰材の量などにより調整できる。
【００８１】
光レセプタクル６００は、第１の実施形態と同様に、略直方体形状の部材であり、その底面（基板２１０と対向する面）には、脚部３０５に三方を囲まれた略四角柱形状の第１凹部３１０が形成されている。光レセプタクル６００の天面（底面の反対側の面）には、略五角柱形状の第４凹部６２０および略五角柱形状の第５凹部６３０が、光レセプタクル６００の光伝送体４００が取り付けられる側から遠ざかる方向に連続して配置されている。第４凹部６２０の内面の一部は、光路分岐部６６０であり、第４凹部６２０の他の内面の一部は、透過面６５０であり、第５凹部６３０の内面の一部は、受信光反射部６４０である。第１凹部３１０、第４凹部６２０および第５凹部６３０の内部は、光レセプタクル６００の材料よりも屈折率が低い物質（たとえば大気）で充填されている。
【００８２】
光レセプタクル６００は、第１光学面３７０、第２光学面３８０、第３光学面３９０、光路分岐部６６０および受信光反射部６４０を有する。また、光レセプタクル６００は、第１光学面３７０と発光素子２２０とを結ぶ光路上に、光減衰部材３７５を有する。また、光レセプタクル６００は、底面（基板２１０と対向する面）であって、かつ光路を除く面に、位置決め部３０２を有する。
【００８３】
光レセプタクル６００は、発光素子２２０から出射された送信光Ｌ３を第１光学面３７０で光レセプタクル６００の内部に入射させて、光路分岐部６６０を経て第２光学面３８０に到達させ、第２光学面３８０から光伝送体４００の端部に出射させる。
【００８４】
また、光レセプタクル６００は、光伝送体４００の端部から出射された受信光Ｌ４を第２光学面３８０で光レセプタクル６００の内部に入射させて、光路分岐部６６０および受信光反射部６４０を経て第３光学面３９０に到達させ、受光素子２３０に到達するように第３光学面３９０から出射させる。
【００８５】
なお、第１光学面３７０、第２光学面３８０および第３光学面３９０の形状、機能、位置および数などは、第１の実施形態と同様とし得るので、詳しい説明を省略する。
【００８６】
光路分岐部６６０は、第４凹部６２０の内面の一部を構成する光学面であり、第１光学面３７０で入射した送信光Ｌ３が到達する位置となり、かつ、第２光学面３８０で入射した受信光Ｌ４が到達する位置ともなる位置に配置された面である。光路分岐部６６０は、第１光学面３７０で光レセプタクル６００の内部に入射した送信光Ｌ３の一部の光を、光レセプタクル６００の内部の物質（たとえば樹脂）と第４凹部６２０の内部の物質（たとえば大気）との間の屈折率の差により反射させて、第２光学面３８０へ進行させる傾斜角度および位置となるように配置される。同時に、光路分岐部６６０は、第２光学面３８０で光レセプタクル６００の内部に入射した受信光Ｌ４の一部の光を、光レセプタクル６００の外部である第４凹部６２０の内部に出射させる傾斜角度および位置となるように配置される。
【００８７】
透過面６５０は、第４凹部６２０の別の内面の一部を構成する光学面であり、光路分岐部６６０から光レセプタクル６００の外部に出射された受信光Ｌ４を、光レセプタクル６００の内部に再度入射させる面である。透過面６５０は、光路分岐部６６０から光レセプタクル６００の外部（第４凹部６２０の内部）に出射された受信光Ｌ４の光軸に対する垂直面であることが好ましい。これにより、透過面６５０は、光路分岐部６６０から出射された受信光Ｌ４を透過面６５０で屈折させることなく最短距離で光レセプタクル６００の内部に再度入射させて受信光反射部６４０へ進行および到達させることができ、光レセプタクル６００の構成を簡易にしてその製造および取扱いを容易にすることができる。
【００８８】
なお、透過面６５０は、光路分岐部６６０の構成などに応じて、光路分岐部６６０から出射された受信光Ｌ４を屈折させて受信光Ｌ４の光路を調整するための、光路分岐部６６０から光レセプタクル６００の外部に出射された受信光Ｌ４の光軸に対する傾斜面としてもよい。このとき、透過面６５０は、射出成形における離型を容易にするため、光レセプタクル６００の底面から天面に向かうにつれて、第２光学面３８０から遠ざかるように傾斜させることが好ましい。
【００８９】
受信光反射部６４０は、第５凹部６３０の内面の一部を構成する光学面であり、光レセプタクル６００の底面から天面に向かうにつれて、第２光学面３８０に近づくように傾斜した面である。受信光反射部６４０は、透過面６５０で光レセプタクル６００の内部に再度入射した受信光Ｌ４を、光レセプタクル６００の内部の物質（たとえば樹脂）と第５凹部６３０の内部の物質（たとえば大気）との間の屈折率の差により反射させて、第３光学面３９０へ進行させる傾斜角度および位置となるように配置される。受信光反射部６４０の傾斜角度は、特に限定されないが、透過面６５０で光レセプタクル６００の内部に再度入射した受信光Ｌ４が臨界角より大きな入射角で入射して全反射する角度であることが好ましい。本実施形態では、受信光反射部６４０の傾斜角度は、透過面６５０で光レセプタクル６００の内部に再度入射した受信光Ｌ４の光軸に対して４５°である。受信光反射部６４０の形状は、特に限定されず、平面であってもよいし、曲面であってもよい。本実施形態では、受信光反射部６４０の形状は、平面である。
【００９０】
（光路分岐部の構成および機能）
図５Ａ、図５Ｂおよび図５Ｃは、本実施形態に関する光レセプタクル６００が有する光路分岐部６６０の構成を示す図である。図５Ａは、図４において破線で示される領域の部分拡大断面図であり、図５Ｂは、光路分岐部６６０近傍における送信光の光路を示す部分拡大断面図であり、図５Ｃは、光路分岐部６６０近傍における受信光の光路を示す部分拡大断面図である。
【００９１】
光路分岐部６６０は、それぞれが送信光Ｌ３の一部の光を反射させて第２光学面３８０へ進行させ、かつ受信光Ｌ４の一部の光を透過させて第３光学面３９０へ進行させる形状を有する、複数の分岐ユニット６６５が配列された光学面である。それぞれの分岐ユニットは、第４光学面６６５ａ、第４光学面６６５ａに対して傾斜して配置された第５光学面６６５ｂ、および第４光学面６６５ａと第５光学面６６５ｂとを接続する接続面６６５ｃを有する。光路分岐部６６０は、複数の分岐ユニット６６５が配列されて、階段状の形状を形成する。
【００９２】
第４光学面６６５ａは、第１光学面３７０で光レセプタクル６００の内部に入射した送信光Ｌ３の一部の光を反射させて第２光学面３８０へ進行させる角度で配置された光学面であり、本実施形態では、第１光学面３７０で光レセプタクル６００の内部に入射した送信光Ｌ３の光軸に対する傾斜面である。本実施形態では、第４光学面６６５ａは、光レセプタクル６００の天面から底面に向かうにつれて第２光学面３８０（光伝送体４００の端面）から遠ざかるように傾斜する面であり、第４光学面６６５ａの傾斜角は、第４光学面６６５ａに到達する送信光Ｌ３の光軸に対して４５°である。また、第４光学面６６５ａの傾斜角は、第５光学面６６５ｂに対して１３５°であり、接続面６６５ｃに対しても１３５°である。
【００９３】
第５光学面６６５ｂは、第２光学面３８０で光レセプタクル６００の内部に入射した受信光Ｌ４の一部の光を透過させて第３光学面３９０へ進行させる角度で配置された光学面であり、本実施形態では、第２光学面３８０で光レセプタクル６００の内部に入射した受信光Ｌ４の光軸に対する垂直面である。
【００９４】
接続面６６５ｃは、第４光学面６６５ａと第５光学面６６５ｂとを接続する面であり、第４光学面６６５ａに到達する送信光Ｌ３の光軸に対して垂直であり、かつ、第５光学面６６５ｂに到達する受信光Ｌ４の光軸に対して平行な面である。接続面６６５ｃの傾斜角は、第４光学面６６５ａに対して９０°である。
【００９５】
複数の分岐ユニット６６５は、これらの分岐ユニット６６５に由来する複数の第４光学面６６５ａ、第５光学面６６５ｂおよび接続面６６５ｃが、光路分岐部６６０の傾斜方向に所定の間隔で互いに平行に配置される角度で配列される。分岐ユニットの数は、特に限定されず、用途に応じて適宜選択され得るが、第１光学面３７０で光レセプタクル６００の内部に入射した送信光Ｌ３が入射する領域となり、かつ、第２光学面３８０で光レセプタクル６００の内部に入射した受信光Ｌ４が入射する領域となる領域内に、４〜６個の分岐ユニット６６５が配置されればよい。
【００９６】
分岐ユニット６６５は、必要に応じて、送信光Ｌ３の一部の光を反射させて第２光学面３８０以外の光レセプタクル６００の上面、側面または底面へ進行させる光学面、または、受信光Ｌ４の一部の光を透過させて第３光学面３９０以外の光レセプタクル６００の上面、側面または底面へ進行させる光学面を有していてもよい。また、分岐ユニット６６５は、必要に応じて、送信光Ｌ３の一部の光を透過させて第２光学面３８０以外の光レセプタクル６００の上面、側面または底面へ進行させる接続面６６５ｃ以外の光学面、または、受信光Ｌ４の一部の光を透過させて第１光学面３７０および第３光学面３９０以外の光レセプタクル６００の上面、側面または底面へ進行させる光学面を有していてもよい。ただし、分岐ユニット６６５は、成形の容易さの観点から、送信光Ｌ３の一部の光を反射させる面としては第４光学面６６５ａのみを有することが好ましく、受信光Ｌ４の一部の光を透過させる面としては第５光学面６６５ｂのみを有することが好ましい。また、クロストークの発生などを抑制する観点からは、第１光学面３７０で入射した送信光Ｌ３の一部の光を反射または透過させて送信光Ｌ３の他の光から分割し、第３光学面３９０へ進行させる光学面を有さないことが好ましい。
【００９７】
図５Ｂに示されるように、第１光学面３７０で光レセプタクル６００の内部に入射した送信光Ｌ３は、光路分岐部６６０に到達する。
【００９８】
このとき、第４光学面６６５ａは、上記送信光Ｌ３の光軸に対する傾斜面であるため、第４光学面６６５ａに到達した送信光の一部である送信光Ｌ３ａを第２光学面３８０の方向に反射させる。
【００９９】
一方で、第５光学面６６５ｂは送信光Ｌ３の入射方向に平行に形成されているため、第５光学面６６５ｂには送信光Ｌ３は入射しない。
【０１００】
また、接続面６６５ｃは、上記送信光Ｌ３の光軸に対する垂直面であるため、上記送信光の一部の光である送信光Ｌ３ｂを透過させる。接続面６６５ｃは、送信光Ｌ３ｂを透過させて第２光学面３８０とは異なる方向に進行させることにより、送信光Ｌ３を選択的に減衰させる減衰部としても機能する。
【０１０１】
図５Ｃに示されるように、第２光学面３８０で光レセプタクル６００の内部に入射した受信光Ｌ４も、光路分岐部６６０に到達する。
【０１０２】
このとき、第５光学面６６５ｂは、上記受信光Ｌ４の光軸に対する垂直面であるため、第５光学面６６５ｂに到達した送信光の一部の光である受信光Ｌ４ａを屈折させずに光レセプタクル６００の外部（第４凹部６２０の内部）かつ透過面６５０の方向に透過させる。これにより、第５光学面６６５ｂは、第２光学面３８０で光レセプタクル６００の内部に入射した受信光Ｌ４ａを第５光学面６６５ｂで屈折させることなく最短距離で第３光学面３９０へ進行および到達させることができ、光レセプタクル６００の構成を簡易にしてその製造および取扱いを容易にすることができる。なお、このとき、第２光学面３８０、光路分岐部６６０、透過面６５０および受信光反射部６４０は、光レセプタクル６００の光伝送体４００が取り付けられる側から遠ざかる方向に、光伝送体４００へ出射するときの送信光の光路および光伝送体４００で入射するときの受信光の光路と平行な直線上に連続して配置される。また、第２光学面３８０、光路分岐部６６０の第５光学面６６５ｂ、および透過面６５０が配置される角度は、互いに平行である。
【０１０３】
一方で、第４光学面６６５ａは、上記受信光Ｌ４の光軸に対する傾斜面であるため、第４凹部６２０の内部の物質（たとえば大気）と光レセプタクル６００の内部の物質（たとえば樹脂）との間の屈折率の差により、第４光学面６６５ａに到達した受信光の一部の光である受信光Ｌ４ｂを反射させる。このとき、上記反射した受信光Ｌ４ｂは、第１光学面３７０を通過して発光素子２２０に到達し得る。本実施形態でも、上記発光素子２２０に到達した受信光Ｌ４ｂによるクロストークの発生を抑制するため、第１光学面３７０と発光素子２２０とを結ぶ光路上に、光減衰部材３７５を設けている。光減衰部材３７５の構成、位置および数などは、第１の実施形態と同様とし得るので、詳しい説明を省略する。なお、本実施形態では、光減衰部材３７５は、波長９１０ｎｍの光を透過し、波長８５０ｎｍの光を吸収する光学フィルターである。
【０１０４】
なお、接続面６６５ｃは受信光Ｌ４の入射方向に平行に形成されているため、接続面６６５ｃには受信光Ｌ４は入射しない。
【０１０５】
このようにして、送信光Ｌ３の光路上となり、かつ、受信光Ｌ４の光路上となる位置に配置された光路分岐部６６０は、第４光学面６６５ａが、光レセプタクル６００の内部に入射して光路分岐部６６０に到達した送信光Ｌ３の一部の光を第２光学面３８０へ進行させる光学面として機能し、第５光学面６６５ｂが、光レセプタクル６００の内部に入射して光路分岐部６６０に到達した受信光Ｌ４の一部の光を第３光学面３９０へ進行させる光学面として機能して、受信光Ｌ４の光路から送信光Ｌ３の光路を分岐させ、光レセプタクル３００の内部の光路を制御する。
【０１０６】
送信光Ｌ３のうち、第４光学面６６５ａにより第２光学面３８０へ進行させられる送信光Ｌ３ａの光量と、第５光学面６６５ｃを透過して第２光学面３８０に到達しない送信光Ｌ３ｂの光量と、の光量比は、第１光学面３７０側から光路分岐部６６０を見たときの、第４光学面６６５ａと接続面６６５ｃとの面積比と略同一（図５Ｂのｄ３とｄ４との長さの比とも略同一）であり、ｄ３とｄ４との比率を変えることで調整され得る。光路分岐部６６０による送信光Ｌ３の減衰率を高める観点からは、ｄ４の割合が多いほうが好ましく、このような観点からは、ｄ３：ｄ４は５：５〜１：９であることが好ましく、３：７〜２：８であることがより好ましい。
【０１０７】
また、受信光Ｌ４のうち、第５光学面６６５ｂを透過して第３光学面３９０へ進行する受信光Ｌ４ａの光量と、第４光学面６６５ａにより反射されて第３光学面３９０に到達しない受信光Ｌ４ｂの光量と、の光量比は、第２光学面３８０側から光路分岐部６６０を見たときの、第５光学面６６５ｂと第４光学面６６５ａとの面積比と略同一（図５Ｃのｄ５とｄ６との長さの比とも略同一）であり、ｄ５とｄ６との比率を変えることで調整され得る。受光素子２３０に到達する受信光Ｌ４ａの割合を高めて受信感度を高め、かつ、発光素子２２０に受信光Ｌ４ｂが到達することによるクロストークの発生を抑制する観点からは、ｄ５の割合が多いほうが好ましく、このような観点からは、ｄ５：ｄ６は５：５〜９：１であることが好ましく、７：３〜８：２であることがより好ましい。
【０１０８】
（光モジュールにおける光路）
発光素子２２０から出射された波長９１０ｎｍのレーザー光である送信光Ｌ３は、第１光学面３７０で光レセプタクル６００の内部に入射する。このとき、送信光Ｌ３は、第１光学面３７０によってコリメート光に変換される。次いで、第１光学面３７０で光レセプタクル６００の内部に入射した送信光Ｌ３の一部の光である送信光Ｌ３ａは、光路分岐部６６０に到達し、第４光学面６６５ａで反射して第２光学面３８０へ進行する。一方で、光路分岐部６６０に到達した送信光Ｌ３の他の一部の光である送信光Ｌ３ｂは、接続面６６５ｃを透過するため第２光学面３８０には到達しない。これにより、送信光Ｌ３は、光路分岐部６６０で減衰される。第４光学面６６５ａで反射して第２光学面３８０に到達した送信光Ｌ３ａは、第２光学面３８０から光レセプタクル６００の外部に出射され、光伝送体４００の端面に到達する。
【０１０９】
一方、光伝送体４００の端面から出射された波長８５０ｎｍのレーザー光である受信光Ｌ４は、第２光学面３８０で光レセプタクル６００の内部に入射する。このとき、受信光Ｌ４は、第２光学面３８０によってコリメート光に変換される。次いで、第２光学面３８０で光レセプタクル６００の内部に入射した受信光Ｌ４の一部の光である受信光Ｌ４ａは、光路分岐部６６０に到達し、第５光学面６６５ｂを透過して光レセプタクル６００の外部（第４凹部６２０の内部）に出射する。光レセプタクル６００の外部（第４凹部６２０の内部）に出射した受信光Ｌ４ａは、透過面６５０を透過して光レセプタクル６００の内部に再度入射し、受信光反射部６４０で、第３光学面３９０に向けて反射する。第３光学面３９０に向けて反射した受信光Ｌ４ａは、第３光学面３９０から光レセプタクル６００の外部に出射され、受光素子２３０に到達する。一方で、第２光学面３８０で光レセプタクル６００の内部に入射した受信光Ｌ４の他の一部の光である受信光Ｌ４ｂは、第４光学面６６５ａで、第１光学面３７０に向けて反射する。第１光学面３７０に到達した受信光Ｌ４ｂは、発光素子２２０に向けて光レセプタクル６００の外部に出射するが、波長８５０ｎｍｎｍの光を吸収する光学フィルターである光減衰部材３７５に吸収されて減衰されるため、発光素子２２０に到達した受信光Ｌ４ｂによるクロストークの発生は抑制される。
【０１１０】
（効果）
以上のとおり、本実施形態に係る光レセプタクル６００は、光路分岐部６６０が受信光Ｌ４の光路から送信光Ｌ３の光路を分岐させ、送信する光信号と受信した光信号とを分波する。そのため、本実施形態に係る光レセプタクル６００は、光路分岐部６６０に相当する傾斜面にハーフミラーなどの光機能部材を設置する必要がなく、光機能部材の設置ずれによる光通信の精度の低下が抑制される。
【０１１１】
また、本実施形態に係る光レセプタクル６００は、上記傾斜面にハーフミラーなどの光機能部材を設置する必要がないため、上記傾斜面を透過する光の光路を調整するための屈折率整合剤も不要である。そのため、本実施形態に係る光レセプタクル６００は、屈折率整合剤を構成する材料の熱膨張率と光レセプタクル６００を構成する材料の熱膨張率とが異なることによる、光レセプタクル６００を製造した後の高温試験時などのクラックの発生を抑制することもできる。
【０１１２】
また、本実施形態に係る光レセプタクル６００は、送信光Ｌ３の減衰率（ｄ３に対するｄ４の割合）と受信光Ｌ４の減衰率（受光素子２３０に到達する受信光Ｌ４の割合：ｄ６に対するｄ５の割合）とを独立に制御し得る。
【０１１３】
［第３の実施形態］
図６は、本発明の第３の実施形態に関する光伝送器７００の構成を模式的に示す断面図である。
【０１１４】
図６に示されるように、光伝送器７００は、光伝送体４００と、光伝送体４００の両端部に配置された、第１の実施形態に関する光モジュール１００と、第２の実施形態に関する光モジュール５００と、を有する。
【０１１５】
光モジュール１００が有する発光素子２２０から出射された波長８５０ｎｍのレーザー光である送信光Ｌ１は、第１光学面３７０で光レセプタクル３００の内部に入射して、送信光反射部３４０、透過面３５０、光路分岐部３６０、および第２光学面３８０の順に通過する。これにより、送信光Ｌ１の一部の光であって光路分岐部３６０の第４光学面３６５ａを透過した送信光Ｌ１ａが、第２光学面３８０から光レセプタクル３００の外部に出射され、光伝送体４００の端面に到達する。その後、送信光Ｌ１ａは、光伝送体４００の内部を伝送されて、光伝送体４００の光モジュール５００側の端面に到達する。上記光モジュール５００側の端面に到達したレーザー光は、上記端面から出射されて、受信光Ｌ４となる。受信光Ｌ４は、第２光学面３８０、光路分岐部６６０、透過面６５０、受信光反射部６４０、および第３光学面３９０の順に通過する。これにより、受信光Ｌ４の一部の光であって光路分岐部６６０の第５光学面６６０ｂを透過した受信光Ｌ４ａが、第３光学面３９０から光レセプタクル６００の外部に出射され、受光素子２３０に到達する。
【０１１６】
一方で、光モジュール５００が有する発光素子２２０から出射された波長８５０ｎｍのレーザー光である送信光Ｌ３は、第１光学面３７０で光レセプタクル６００の内部に入射して、光路分岐部６６０および第２光学面３８０の順に通過する。これにより、送信光Ｌ３の一部の光であって光路分岐部６６０の第４光学面６６５ａで反射した送信光Ｌ３ａが、第２光学面３８０から光レセプタクル６００の外部に出射され、光伝送体４００の端面に到達する。その後、送信光Ｌ３ａは、光伝送体４００の内部を伝送されて、光伝送体４００の光モジュール１００側の端面に到達する。上記光モジュール１００側の端面に到達したレーザー光は、上記端面から出射されて、受信光Ｌ２となる。受信光Ｌ２は、第２光学面３８０および光路分岐部３６０の順に通過する。これにより、受信光Ｌ２の一部の光であって光路分岐部３６０の第５光学面３６０ｂで反射した受信光Ｌ２ａが、第３光学面３９０から光レセプタクル３００の外部に出射され、受光素子２３０に到達する。
【０１１７】
（効果）
以上のとおり、本実施形態に係る光伝送器７００は、光モジュール１００の光レセプタクル３００が有する光路分岐部３６０が送信光Ｌ１の光路から受信光Ｌ２の光路を分岐させ、光モジュール５００の光レセプタクル６００が有する光路分岐部６６０が受信光Ｌ４の光路から送信光Ｌ３の光路を分岐させて、いずれも送信する光信号と受信した光信号とを分波する。そのため、本実施形態に係る光伝送器７００は、光機能部材の設置ずれによる光通信の精度の低下を抑制しつつ、双方向通信が可能である。
【０１１８】
［その他の実施形態］
上記実施形態は、発明を実施するにあたっての具体化の一例を示したものに過ぎず、これによって本発明の技術的範囲が限定的に解釈されてはならない。すなわち、本発明はその要旨、またはその主要な特徴から逸脱することなく、様々な形で実施することができる。
【０１１９】
たとえば、第１の実施形態〜第３の実施形態では、光レセプタクルは４〜６個の分岐ユニットを有していたが、光レセプタクルが有する分岐ユニットの数は限定されず、１個でもよいし、２個または３個でもよいし、７個以上でもよい。
【０１２０】
また、第１の実施形態〜第３の実施形態では、発光素子および受光素子はいずれも同一の基板上に実装され、同一平面上に配置されていたが、これらは別の基板上に実装されてもよいし、別の平面上に配置されてもよい。たとえば、第１の実施形態における発光素子を受光素子とは垂直な平面上に配置してもよい。このようにすることで、発光素子を、透過面、光路分岐部および第２光学面と同一の直線上に配置することができ、送信光反射部を不要とできるため、光レセプタクルの構成を簡易にしてその製造および取扱いを容易にすることができる。同様に、第２の実施形態における受光素子を発光素子とは垂直な平面上に配置してもよい。
【０１２１】
また、第１の実施形態〜第３の実施形態では、光減衰部材は、第１光学面と発光素子とを結ぶ光路上に、第１光学面および発光素子の双方から離間して配置されていたが、受信光が有する波長の光を選択的に吸収するなどして受信光を選択的に減衰させる物質で第１光学面または発光素子の発光面（発光領域）をコーティングして、第１光学面または発光素子の発光面（発光領域）に光減衰部材を配置してもよい。
【０１２２】
また、第１の実施形態〜第３の実施形態では、第１光学面は、その中心軸が発光素子から出射された送信光の光軸と一致する位置に配置されていたが、発光素子から出射された送信光の光軸からずれた位置に配置されていてもよい。このとき、発光素子と第１光学面との間に、送信光が有する波長の光を反射または屈折させるミラーまたはフィルターなどの光学部材を配置して、発光素子から出射された送信光を第１光学面に進行させてもよい。さらにこのとき、上記光学部材として、第２光学面で入射した受信光は反射または屈折させず第１光学面へ進行させない特性を有する部材を用いることで、発光素子に到達した受信光によるクロストークの発生を抑制することもできる。
【０１２３】
また、第３の実施形態において、光伝送体４００の両端部に配置された２つの光モジュールは、光路分岐部による送信光の減衰率（第１の実施形態に関する光モジュール１００の場合、光路分岐部３６０による送信光Ｌ１の減衰率。第２の実施形態に関する光モジュール５００の場合、光路分岐部６６０による送信光Ｌ３の減衰率。）、及び光路分岐部から受光素子への光量（第１の実施形態に関する光モジュール１００の場合、光路分岐部３６０から受光素子２３０への送信光Ｌ２ａの光量。第２の実施形態に関する光モジュール５００の場合、光路分岐部６６０から受光素子２２０への送信光Ｌ４ｂの光量。）が適宜調整されれば、いずれもが第１の実施形態に関する光モジュール１００であってもよいし、いずれもが第２の実施形態に関する光モジュール５００であってもよい。
【０１２４】
また、第１の実施形態および第３の実施形態において、第５光学面で屈折した送信光が到達する光レセプタクルの表面に、光減衰材および反射防止膜などを配置してもよい。このようにすることで、第５光学面で屈折した送信光が反射などにより送信光Ｌ１または受信光Ｌ２の光路を通過することによる、送受信感度の低下を抑制することが可能である。同様に、第２の実施形態および第３の実施形態において、接続面を透過した送信光が到達する光レセプタクルの表面に、光減衰材および反射防止膜などを配置してもよい。
【産業上の利用可能性】
【０１２５】
本発明に係る光レセプタクル、光モジュールおよび光伝送体は、たとえば光伝送体を用いた光通信に有用である。
【符号の説明】
【０１２６】
１００  光モジュール
２００  光電変換装置
２１０  基板
２２０  発光素子
２３０  受光素子
３００  光レセプタクル
３０２  位置決め部
３０５  脚部
３１０  第１凹部
３２０  第２凹部
３３０  第３凹部
３４０  送信光反射部
３５０  透過面
３６０  光路分岐部
３６５  分岐ユニット
３６５ａ  第４光学面
３６５ｂ  第５光学面
３６５ｃ  接続面
３７０  第１光学面
３７５  光減衰部材
３８０  第２光学面
３９０  第３光学面
４００  光伝送体
５００  光モジュール
６００  光レセプタクル
６２０  第４凹部
６３０  第５凹部
６４０  受信光反射部
６５０  透過面
６６０  光路分岐部
６６５  分岐ユニット
６６５ａ  第４光学面
６６５ｂ  第５光学面
６６５ｃ  接続面
７００  光伝送器
【図１】
2019086616.tif 000003
【図２】
2019086616.tif 000004
【図３】
2019086616.tif 000005
【図４】
2019086616.tif 000006
【図５】
2019086616.tif 000007
【図６】
2019086616.tif 000008